(57)【特許請求の範囲】
【請求項１】
複数枚の熱交換フィンと、これら熱交換フィンを貫通する蛇行状の冷媒配管とから成る熱交換器を洗浄するための洗浄装置であって、
前記熱交換器の上側に対応して配設された散水皿と、
該散水皿に給水するための散水パイプと、
前記散水皿の底壁に形成された複数の散水孔とを備え、
これら散水孔を、前記散水パイプの吐出孔直下を回避した位置に形成し、
前記散水皿内部に水を溜めながら該散水孔から流下させることを特徴とする熱交換器の洗浄装置。
【発明の詳細な説明】
【０００１】
【発明の属する技術分野】
本発明は、例えばプレハブ冷蔵庫や冷蔵倉庫の冷却ユニットなどに使用される熱交換器を洗浄するための洗浄装置に関するものである。
【０００２】
【従来の技術】
従来よりプレハブ冷蔵庫や冷蔵倉庫などには天吊り式の冷却ユニットが取り付けられる。この冷却ユニット内には冷却器となる熱交換器とこの熱交換器に通風する送風機などが設置され、熱交換器と熱交換して冷却された冷気を送風機にて庫内に循環することで所定の温度に冷却するものであった。
【０００３】
【発明が解決しようとする課題】
ところで、この種熱交換器は複数枚の熱交換フィンとこれらを貫通する蛇行状の冷媒配管とから構成されるが、これら熱交換フィンや冷媒配管の表面には循環する空気中の塵埃や雑菌などが通風によって付着する。これら塵埃や雑菌が庫内に再循環されると、貯蔵する食品などが汚染され、食品衛生上好ましくない結果となる。
【０００４】
本発明は、係る従来の技術的課題を解決するために成されたものであり、熱交換器表面に付着する塵埃や雑菌を効果的に除去可能な洗浄装置を提供するものである。
【０００５】
【課題を解決するための手段】
【０００６】
請求項１の発明の洗浄装置は、複数枚の熱交換フィンと、これら熱交換フィンを貫通する蛇行状の冷媒配管とから成る熱交換器を洗浄するためのものであって、熱交換器の上側に対応して配設された散水皿と、この散水皿に給水するための散水パイプと、散水皿の底壁に形成された複数の散水孔とを備え、これら散水孔を、散水パイプの吐出孔直下を回避した位置に形成し、散水皿内部に水を溜めながら該散水孔から流下させることを特徴とする。
【０００７】
請求項１の発明によれば、複数枚の熱交換フィンと、これら熱交換フィンを貫通する蛇行状の冷媒配管とから成る熱交換器を洗浄するための洗浄装置であって、熱交換器の上側に対応して配設された散水皿と、この散水皿に給水するための散水パイプと、散水皿の底壁に形成された複数の散水孔とを備えており、これら散水孔が、散水パイプの吐出孔直下を回避した位置に形成し、散水皿内部に水を溜めながら散水孔から流下させるので、散水パイプから散水皿上に吐出された水は、直接散水孔から流出せずに一旦散水皿に貯溜されるようになる。
【０００８】
これにより、散水皿の複数の散水孔から均一に散水することができるようになり、熱交換器全体を良好に洗浄することができるようになるものである。
【０００９】
【発明の実施の形態】
以下、図面に基づき本発明の実施形態を詳述する。図１は本発明を適用した実施例としての冷却ユニット１の正面図、図２は冷却ユニット１の平面図、図３は冷却ユニット１の縦断側面図、図４は冷却ユニット１上部の拡大縦断側面図をそれぞれ示している。
【００１０】
各図において、実施例の冷却ユニット１は図示しないプレハブ冷蔵庫などの庫内に天井に取り付けられる天吊り式のユニットであり、庫外に設けられた図示しないコンデンシングユニットに冷媒配管にて接続されている。尚、このコンデンシングユニットには、冷媒回路を構成する圧縮機や凝縮器などが設けられている。
【００１１】
実施例の冷却ユニット１は横長矩形状の鋼板製外装ケース２と、この外装ケース２の底面に取り付けられたドレン皿３と、外装ケース２内に収納された熱交換器としての冷却器４及び複数の送風機６・・などから構成されている。前記冷却器４は所定の間隔を存して複数枚並設された熱交換フィン７・・・と、これら熱交換フィン７・・・を貫通して交熱的に取り付けられた蛇行状の冷媒配管８とから構成されており、前記コンデンシングユニットの圧縮機や凝縮器及び図示しない減圧装置と接続されて周知の冷媒回路を構成する。
【００１２】
この場合、各熱交換フィン７・・・は上下に長い長方形のアルミ薄板から成り、それぞれ前後方向に指向して並設されている。また、冷媒配管８は左右に延在して迂回しながら上下方向に渡って蛇行状に配設され、この上下の列が前後に複数形成されている。外装ケース２の後面には空気吸込口１１が形成されており、冷却器４はこの空気吸込口１１の内側に対応して外装ケース２内に取り付けられている。
【００１３】
一方、外装ケース２の前面には矩形状の空気吐出口１２・・が三カ所形成されており、各空気吐出口１２・・に対応してグリル部材１３がそれぞれ開閉自在に取り付けられている。そして、送風機６はこのグリル部材１３の内側にそれぞれ取り付けられて冷却器４の空気流出側（前側）に左右に並んで配置される。また、前記ドレン皿３はこれら冷却器４や送風機６・・下方に対応しており、その上面が最も低くなる位置には、庫外に連通される図示しないホースを接続するための排水口１４が形成されている。
【００１４】
そして、冷却器４の上側に対応した位置の外装ケース２内上部に本発明の洗浄装置１６が取り付けられている。この洗浄装置１６は、上面に開口した横長矩形状の散水皿１７と、この散水皿１７に給水するための散水パイプ１８から構成されており、散水パイプ１８は外装ケース２内の一側部に設けられたボールバルブ１９を介して外部の図示しない水道配管などに接続されている。尚、このボールバルブ１９に対応する位置の外装ケース２は開閉可能とされている。
【００１５】
上記散水皿１７は抗菌ステンレス板にて構成され、冷却器４の上面に全域に渡って対応した寸法を有しており、その底壁２１は冷却器４の熱交換フィン７・・・上縁に当接している。また、散水皿１７の底壁２１には図７に示すように複数の散水孔２２・・・が穿設されている。各散水孔２２・・・は冷媒配管８の延在する左右方向に長い長孔とされていると共に、各列の冷媒配管８の上方に対応するように左右に渡って複数並べられ、且つ、実施例では前後四列形成されている。また、各列の散水孔２２・・・は前後互い違いに千鳥状に配置されている。
【００１６】
更に、熱交換フィン７・・・と平行となる前後方向に指向した散水皿１７の左右の側壁２３、２３は、前後の側壁２４、２４よりも低く形成されている。即ち、送風機６・・側となる前側の側壁２４よりも左右の側壁２３、２３は低くなるように形成されている。
【００１７】
他方、散水パイプ１８は散水皿１７の底壁２１の中央上方に対応し、左右に渡って配設されており、図４に示すように低い左右の側壁２３、２３を利用して散水皿１７内に位置している。また、散水パイプ１８の下端には複数の吐出孔２６・・が形成されており、この吐出孔２６と散水皿１７の散水孔２２とは上下に合致しないように配置されている（図２）。即ち、散水孔２２は吐出孔２６の直下を回避した位置に形成されていることになる。
【００１８】
以上の構成で、前記コンデンシングユニットの圧縮機が運転されると、圧縮機からは高温高圧の冷媒ガスが吐出され、凝縮器にて凝縮された後、減圧装置に減圧されて冷却器４の冷媒配管８に流入する。このときに冷媒は蒸発することで周囲から熱を奪い、冷却作用を発揮する。この冷却作用により冷媒配管８及び熱交換フィン７・・・は低温となる。
【００１９】
そして、送風機６・・が運転され、空気吸込口１１から庫内の空気が吸い込まれて冷却器４に通風される。冷却器４に通風された空気は熱交換フィン７・・や冷媒配管８と熱交換して冷却され、送風機６・・を経て空気吐出口１２・・から庫内に吐出される。これによって、庫内は所定の温度に冷却される。
【００２０】
このような庫内空気の通風によって冷却器４の冷媒配管８や熱交換フィン７・・の表面には空気中の塵埃や雑菌が付着する。そこで、例えば一月に一回〜二回前述のボールバルブ１９を開放して散水パイプ１８に水道配管から注水する。この散水パイプ１８に入った水は下端の吐出孔２６・・から散水皿１７内に吐出される。
【００２１】
散水皿１７内に流下した水は内部に溜まりながら各散水孔２２・・・から下方の冷却器４に流下し、表面に付着した塵埃や雑菌を洗い流してドレン皿１３に受け止められる。このドレン皿１３上に滴下した水は排水口１４から図示しないホースで外部に排出されることになる。
【００２２】
このとき、散水皿１７の各散水孔２２・・は冷媒配管８の延在方向に長い長孔とされているので、散水パイプ１８から散水皿１７上に吐出され、当該散水皿１７の散水孔２２・・から流出する水が冷媒配管８に当たる面積が拡大される。これにより、冷却器４の冷媒配管８の表面を良好に洗浄することができるようになる。
【００２３】
特に、散水皿１７の各散水孔２２・・・は冷媒配管８の上方に対応して形成されているので、散水孔２２・・から流出した水は冷媒配管８に当たるようになり、冷媒配管８表面は一層良好に洗浄されるようになる。また、冷媒配管８に当たった水が跳ね返って周辺の熱交換フィン７・・にも降りかかるので、これら熱交換フィン７・・表面の洗浄も良好に行えるようになる。
【００２４】
更に、散水皿１７の散水孔２２・・は散水パイプ１８の吐出孔２６・・直下を回避した位置に形成されているので、散水パイプ１８から散水皿１７上に吐出された水は、直接散水孔２２・・・から流出せずに一旦散水皿１７に確実に貯溜されるようになる。これにより、散水皿１７の全域の各散水孔２２・・・から均一に散水することができるようになり、冷却器４全体を良好に洗浄することができるようになる。
【００２５】
また、冷却器４の熱交換フィン７・・は散水皿１７の底壁２１に当接されているので、散水パイプ１８から散水皿１７上に吐出され、散水孔２２・・から流出する水は、円滑に熱交換フィン７・・の表面に伝わって流下するようになる。これにより、熱交換フィン７・・の表面も良好に洗浄することができるようになる。
【００２６】
また、散水皿１７の底壁２１に形成された複数の散水孔２２・・は千鳥状に配置されているので、散水皿１７の散水孔２２・・・から流出する水は、少なくとも二方向に分かれて流出するようになり、冷媒配管８や熱交換フィン７・・の片面に偏って流れることを防止できる。これにより、一層冷却器４の洗浄効果の改善を図ることができるようになる。
【００２７】
ここで、散水皿１７に塵埃などが溜まって散水孔２２・・・に目詰まりが生じた場合、散水パイプ１８から吐出された水が散水皿１７に溜まってやがて溢れ出すことになるが、散水皿１７の左右の側壁２３、２３は前後の側壁２４、２４より低くされているので、水はこの左右の側壁２３、２３側から溢れ出すことになる。即ち、送風機６・・が存在する前側には溢れないので、送風機６・・に散水皿２２から溢れた水が降りかかって故障を引き起こす不都合を未然に回避することができるようになる。
【００２８】
また、散水皿１７は抗菌ステンレスにて構成しているので、散水皿１７内において雑菌の繁殖が生じる不都合も防止若しくは抑制することができるようになり、より一層衛生的な洗浄が行えるようになる。
【００２９】
尚、実施例では冷却ユニットを採り上げ、洗浄装置により冷却器を洗浄するようにしたが、対象となる熱交換器としてはそれに限らず、凝縮器などの洗浄にも本発明は有効である。
【００３０】
【発明の効果】
以上詳述した如く請求項１の発明によれば、複数枚の熱交換フィンと、これら熱交換フィンを貫通する蛇行状の冷媒配管とから成る熱交換器を洗浄するための洗浄装置であって、熱交換器の上側に対応して配設された散水皿と、この散水皿に給水するための散水パイプと、散水皿の底壁に形成された複数の散水孔とを備えており、これら散水孔が、散水パイプの吐出孔直下を回避した位置に形成し、散水皿内部に水を溜めながら散水孔から流下させるので、散水パイプから散水皿上に吐出された水は、直接散水孔から流出せずに一旦散水皿に貯溜されるようになる。
【００３１】
これにより、散水皿の複数の散水孔から均一に散水することができるようになり、熱交換器全体を良好に洗浄することができるようになるものである。
【図面の簡単な説明】
【図１】  本発明を適用した実施例としての冷却ユニットの正面図である。
【図２】  図１の冷却ユニットの一部透視平面図である。
【図３】  図１の冷却ユニットの縦断側面図である。
【図４】  図１の冷却ユニット上部の拡大縦断側面図である。
【図５】  図１の冷却ユニットの散水皿の正面図である。
【図６】  図５の散水皿の側面図である。
【図７】  図５の散水皿の平面図である。
【符号の説明】
１  冷却ユニット
４  冷却器（熱交換器）
６  送風機
７  熱交換フィン
８  冷媒配管
１６  洗浄装置
１７  散水皿
１８  散水パイプ
２１  底壁
２２  散水孔
２３、２４  側壁
２６  吐出孔
【図１】
0004059689.tif 000002
【図２】
0004059689.tif 000003
【図３】
0004059689.tif 000004
【図４】
0004059689.tif 000005
【図５】
0004059689.tif 000006
【図６】
0004059689.tif 000007
【図７】
0004059689.tif 000008